(57)【特許請求の範囲】
【請求項１】
カトラリーの首部分で切断して形成されたカトラリー先端部及びカトラリー把持部と、
前記カトラリー先端部及び前記カトラリー把持部の切断位置に係止される補助接続具とで構成され、
前記補助接続具は、
前記カトラリー先端部及び前記カトラリー把持部の両方に係止される第一係止部と、
前記カトラリー先端部又は前記カトラリー把持部の一方の切断位置近傍に係止される第二係止部と、
前記第一係止部と前記第二係止部を接続する弾性体の接続可撓部により構成されていることを特徴とする手品具。
【請求項２】
請求項１において、前記補助接続具の第二係止部及び第一係止部は、断面コの字形で該コの字形の両先端を内側方向に屈曲させて形成し、前記カトラリー先端部若しくはカトラリー把持部を該コの字形の内側に遊挿可能としたことを特徴とする手品具。
【発明の詳細な説明】
【技術分野】
【０００１】
本発明は、カトラリーを用いた手品具に関するものである。
【背景技術】
【０００２】
従来、使用者がスプーン、フォーク、ナイフなどの食卓用金物となるカトラリーの一部を指で摩る動作を行うだけで、該カトラリーを屈曲させたりする所謂スプーン曲げと呼ばれる手品があり、人気がある。
【０００３】
このスプーン曲げの手品には様々な手法がある。例えば、観客に気づかれないように挺子の原理を用いてスプーンを曲げるタネの無いものや、スプーンの首部分の素材を替えることにより容易にスプーンを曲げる手法や、形状記憶合金を用いて指の摩擦熱により所定の温度まで加熱することによってスプーンを曲げる手法が用いられるようである。また、この他にも、スプーン曲げの手品には、様々な手法が用いられている。
【０００４】
また従来、このスプーン曲げに関する発明及び考案は無いものの、本願出願人が出願した特願２００６−２４０６２８号「手品具」の如く、絵で描いたスプーンを曲げるような擬似的な現象の手品具は提案されている。
【特許文献１】特願２００６−２４０６２８号
【発明の開示】
【発明が解決しようとする課題】
【０００５】
今日、熟練者でなくとも容易に手品を実演することのできる手品具が望まれ、手品の仕掛けが知られていない新しい手品具の提供が望まれている。
【０００６】
また、従来のスプーン曲げの手品は、身近に使用される物品となるカトラリーのうちスプーンを使用することにより不思議さを強く感じさせる手品であるも、この手品で使用され、曲げられしまった若しくは切断してしまったカトラリーを再利用することが難しいという問題がある。
【０００７】
そこで、本発明は、使用者がカトラリーの一部分を指で摩る動作を行うだけで該カトラリーを屈曲させることができ、更に、該カトラリーを切断させることができる手品を何度でも容易に行うことのできる手品具を提供することを課題とする。
【課題を解決するための手段】
【０００８】
本発明の手品具は、カトラリーの首部分で切断するように形成されたカトラリー先端部及びカトラリー把持部と、前記カトラリー先端部及び前記カトラリー把持部の切断位置に係止される補助接続具とで構成され、前記補助接続具は、前記カトラリー先端部及び前記カトラリー把持部の両方に係止される第一係止部と、前記カトラリー先端部又は前記カトラリー把持部の一方の切断位置近傍に係止される第二係止部と、前記第一係止部と前記第二係止部を接続する弾性体の接続可撓部により構成されていることを特徴とする。
【０００９】
また、前記補助接続具の第二係止部及び第一係止部は、断面コの字形で該コの字形の両先端を内側方向に屈曲させて形成し、前記カトラリー先端部若しくはカトラリー把持部を該コの字形の内側に遊挿可能とされるものである。
【発明の効果】
【００１０】
本発明によれば、使用者がカトラリーの一部分を指で摩る動作を行うだけで該カトラリーを屈曲させることができ、更に、該カトラリーを切断させることができる手品を何度でも容易に行うことのできる手品具を提供することができる。
【００１１】
また、補助接続具の第一係止部及び第二係止部の形状を、略コの字形に形成することによって、両係止部をカトラリー先端部及びカトラリー把持部に係止させ該補助接続具を覆い隠すようにカトラリーの側面を持つことにより、カトラリーの正面側から略コの字形に形成された両係止部を観客から見えないようにすることができるものである。
【発明を実施するための最良の形態】
【００１２】
カトラリーの首部分で切断し形成されたカトラリー先端部及びカトラリー把持部を用いた手品具であって、前記手品具は、前記カトラリー先端部と、前記カトラリー把持部と、前記カトラリー先端部及び前記カトラリー把持部の切断位置に係止される補助接続具とで構成され、前記補助接続具は、前記カトラリー先端部及び前記カトラリー把持部の両方に係止される第一係止部と、前記カトラリー先端部又は前記カトラリー把持部の一方の切断位置近傍に係止される第二係止部と、前記第一係止部と前記第二係止部を接続する弾性体の接続可撓部で構成されている。
【００１３】
そして、前記補助接続具の第一係止部及び第二係止部は、断面コの字形で該コの字形の両先端を内側方向に屈曲させて形成し、前記カトラリー先端部若しくはカトラリー把持部を該コの字形の内側に遊挿可能とし、第一係止部を第二係止部より僅かに長くして、第二係止部で補助接続具をカトラリー先端部の切断位置近傍に取り付け、接続可撓部をＵ字形に湾曲させて第一係止部によりカトラリー先端部とカトラリー把持部の切断面を相互に接触させるように接続することができるようにしているものである。
【実施例１】
【００１４】
以下、図を参照して、本発明を適用した実施の形態について説明する。図１及び図２を用いて手品具について説明する。図１は、手品具の外観を示す図であり、図２は、手品具を分解した分解斜視図である。
【００１５】
まず、この発明の概要は、スプーン、フォークなどの食卓用金物となるカトラリーの一部を指で摩るだけで、該カトラリーを屈曲させたり、分断させたりする手品を誰でも容易に何度でも行うことができる手品具に関するものである。
【００１６】
手品具１０は、図１に示すようにカトラリー（スプーン）と補助接続具１６で構成され、該スプーンは、ステンレスとなる金属材で形成され、スプーンの首部分で切断し、スプーンの先端側をカトラリー先端部１２とし、スプーンの把持部側をカトラリー把持部１４としている。
【００１７】
また、補助接続具１６は、図２に示すように第一係止部１８、第二係止部２０、接続可撓部２２で構成されている。この第一係止部１８及び第二係止部２０は、極薄のステンレス板となる金属材で、断面コの字形で該コの字形の両先端を内側方向に屈曲させて形成し、カトラリー先端部１２若しくはカトラリー把持部１４を該コの字形の内側に遊挿可能としているものである。
【００１８】
また、第一係止部１８は、第二係止部２０よりも長く形成されおり、カトラリー先端部１２とカトラリー把持部１４の両方を遊挿し切断面を接合させて係止することによって、両部材が揺動することを防止し、切断前の状態のカトラリーとすることができるものである。
【００１９】
そして、第二係止部２０は、図１に示すように第一係止部１８に連接させてカトラリー先端部１２の切断位置近傍に係止するものである。また、この実施例において第二係止部２０をカトラリー先端部１２の切断位置近傍に係止しているが、カトラリー把持部１４の切断位置近傍に係止するようにしても構わない。
【００２０】
さらに、接続可撓部２２は、細径のコイルバネによる弾性体であり、該コイルバネの両端は、第一係止部１８と第二係止部２０の対向する面にそれぞれ固着されているものである。また、この接続可撓部２２は、第一係止部１８と第二係止部２０に、カトラリー先端部１２とカトラリー把持部１４をそれぞれ遊挿し切断面を接合させて係止させると、図１に示すようにＵ字状に湾曲された状態となるものである。
【００２１】
また、この実施例において、補助接続具１６の第一係止部１８及び第二係止部２０は、０．３ｍｍ厚のステンレス板で形成され、内幅４．９ｍｍ、内高１．５ｍｍで形成され、内側方向に屈曲された先端の長さは、０．５ｍｍとなっている。そして、第一係止部１８の長さは７ｍｍで第二係止部２０の長さは６ｍｍに形成されている。また、接続可撓部２２となるコイルバネは、線径φ０．５ｍｍ、バネ外径４ｍｍ、バネ長８ｍｍで形成されているものである。このように、補助接続具１６は、カトラリーの首部分の大きさに合わせつつ、親指で覆い隠せるように非常に小さく形成されている。
【００２２】
次に、この手品具１０の簡単な使用例を説明する。この手品具１０を用いて手品を行う前に、準備を行う必要がある。
【００２３】
この手品の準備として、図１に示すように補助接続具１６の第二係止部２０をカトラリー先端部１２の切断位置近傍に係止させ、第一係止部１８は、恰も切断前の状態のカトラリーの如く見せるようにカトラリー先端部１２とカトラリー把持部１４の切断面を接合するように遊挿し係止させるものである。この時に、接続可撓部２２のコイルバネは、カトラリーの背面側でＵ字状に湾曲した状態となっているものである。また、この手品に使用するカトラリーは、首部分が細く形成されているスプーン若しくはフォークが好適である。
【００２４】
手品具１０の準備が終了した後、使用者は、補助接続具１６で接合され恰も切断前の状態を模したカトラリーの正面を観客に向ける。その際、左手の指先でカトラリーの首部分両側を保持することにより、補助接続具１６を覆い隠し、正面部分のみを露出させることによって、１本のつながったカトラリーのように見せることができる。また、カトラリーをある程度動かしながら見せれば、切断部分を視認させないようにすることができる。
【００２５】
その後、使用者は、図３の如くカトラリーの背面側を上にし、補助接続具１６を覆い隠すようにカトラリーの首部分両側を左手の親指と人指し指と中指で保持するようにする。図４は、補助接続具１６が見えるように第１指を破断した図である。このように、補助接続具１６は、左手の親指及び人指し指、中指で覆い隠すようにするものである。
【００２６】
次に、使用者は、左手の親指と人差し指と中指でカトラリーの首部分両側を保持した状態で、図５に示すようにカトラリー把持部１４を右手で持ち、左手の親指でカトラリーの首部分を摩る演技をしつつ、右手でカトラリー把持部１４をカトラリー先端部１２の方向に押しながら小さく左右に動かす。このように、カトラリー把持部１４をカトラリー先端部１２の方向に押すことにより、補助接続具１６の第一係止部１８からカトラリー先端部１２を押し出し、図６に示すように第一係止部１８とカトラリー先端部１２との係止状態を解除してカトラリー先端部１２とカトラリー把持部１４を分離させるものである。
【００２７】
また、第一係止部１８とカトラリー先端部１２との係止状態を解除してカトラリー先端部１２とカトラリー把持部１４を分離させると、Ｕ字状に湾曲された接続可撓部２２となる弾性体の復元力によって図７に示すようにカトラリー先端部１２又はカトラリー把持部１４が背面側方向に倒れたようになる。この際、左手の指先で強くカトラリーの首部分を保持し、カトラリー先端部１２及びカトラリー把持部１４が急激に背面側方向に倒れないように左手の指先の力を徐々に緩めていくようにする。
【００２８】
このように、実演することにより、観客には、使用者がカトラリーを指で摩っただけで図８に示すようにカトラリーを屈曲させたかのように見え、不思議な現象を体験させることができるものである。
【００２９】
そして、恰もカトラリーを屈曲させたように見せることができる図８の状態となるカトラリー先端部１２に第二係止部２０が係止され、カトラリー把持部１４に第一係止部１８が係止された状態から、親指で摩りながら一方若しくは両方の係止状態を解除した後、カトラリー先端部１２及び／又はカトラリー把持部１４を指から落下させることによって、使用者が恰もカトラリーを切断したかのように見せることができ、更に不思議な現象を体験させることができるものである。
【００３０】
以上説明したように構成することにより、使用者がカトラリーの一部分を指で摩る動作を行うだけで該カトラリーを屈曲させることができ、その後、該カトラリーを切断することができる手品を何度でも容易に行うことのできる手品具を提供することができる。また、このように、身近に使用される物品となるカトラリーのうちスプーンやフォークを使用することにより、見覚えのあるスプーン曲げとして、観客に対して不思議さを強く感じさせることができるものである。
【００３１】
そして、第一係止部１８と第二係止部２０とを接続する弾性体の接続可撓部２２を備えた補助接続具１６を用いることにより、カトラリー先端部１２とカトラリー把持部１４に分離したスプーンやフォークを、補助接続具１６の弾性体の復元力によって徐々に曲がるように見せることを容易に実演できるものである。
【００３２】
また、第一係止部１８は、第二係止部２０よりも長く形成することにより、カトラリー先端部１２とカトラリー把持部１４の両方を遊挿し切断面を接合させて係止することによって、両部材が揺動することを防止し、切断前の状態のカトラリーとすることができるものである
【００３３】
そして、補助接続具１６の第一係止部１８及び第二係止部２０の形状を、略コの字形に形成することによって、両係止部をカトラリー先端部１２及びカトラリー把持部１４に係止させ該補助接続具１６を覆い隠すようにカトラリーの側面を持つことにより、カトラリー正面側から略コの字形に形成された両係止部を観客から見えないようにすることができるものである。
【００３４】
このように、好ましい実施例を挙げて本発明を説明したが、本発明はその実施例に限定されるものではなく、本発明の要旨の範囲内で種々に改変できる。例えば、以下に示すものである。
【００３５】
実施例の第一係止部１８及び第二係止部２０は、ステンレスとなる金属材で形成されているものであるが、無色透明の樹脂で形成されていても構わないものである。
【図面の簡単な説明】
【００３６】
【図１】本発明に係る手品具の外観を示す図である。
【図２】本発明に係る手品具の分解斜視図である。
【図３】本発明に係る手品具の使用例を示す図である。
【図４】本発明に係る手品具の使用例を示す図である。
【図５】本発明に係る手品具の使用例を示す図である。
【図６】本発明に係る手品具の使用例を示す図である。
【図７】本発明に係る手品具の使用例を示す図である。
【図８】本発明に係る手品具の使用例を示す図である。
【符号の説明】
【００３７】
１０  手品具
１２  カトラリー先端部
１４  カトラリー把持部
１６  補助接続具
１８  第一係止部
２０  第二係止部
２２  接続可撓部
【図１】
0005144189.tif 000002
【図２】
0005144189.tif 000003
【図３】
0005144189.tif 000004
【図４】
0005144189.tif 000005
【図５】
0005144189.tif 000006
【図６】
0005144189.tif 000007
【図７】
0005144189.tif 000008
【図８】
0005144189.tif 000009